(57)【要約】【課題】  従来の物件情報登録システムは社会の情報基盤が未発達の時期に作られた物件の登記簿情報を情報システムに移行したものある。しかしながら、以上の技術によれば、情報基盤が成熟化し国際化した現状に対応し発展して行くものではなかった。特に、成長著しい都市部物件や技術革新下の施設等において、急激な経済社会の要求に対応出来ない状況となって来た。【解決手段】  本発明は、指定された物件の物件情報を記録する物件情報記録手段と該物件情報を登録する物件情報登録手段と指定された時間における該物件の位置情報を確定する物件位置情報確定手段と該物件位置情報確定手段により確定された確定位置物件情報を記録する確定位置物件情報記録手段と該確定位置物件情報を登録する確定位置物件情報登録手段とを具備することを特徴とする物件情報登録システムを提供することにより上記を解決するものである。【選択図】図１
2008130073.tif 000002
【特許請求の範囲】
【請求項１】
指定された物件の物件情報を記録する物件情報記録手段と該物件情報を登録する物件情報登録手段と指定された時間における該物件の位置情報を確定する物件位置情報確定手段と該物件位置情報確定手段により確定された確定位置物件情報を記録する確定位置物件情報記録手段と該確定位置物件情報を登録する確定位置物件情報登録手段とを具備することを特徴とする物件情報登録システム
【請求項２】
前記物件の将来状況を推定する根拠情報に基づき物件将来状況を推定し物件将来状況推定情報を形成する物件将来状況推定情報形成手段や該根拠情報及び該物件将来状況推定情報を記録する物件将来状況推定情報記録手段を具備することを特徴とする請求項１記載の物件情報登録システム
【請求項３】
前記物件将来状況推定情報形成手段により形成された物件将来状況推定情報を登録する物件将来状況推定情報登録手段を具備することを特徴とする請求項２記載の物件情報登録システム
【請求項４】
前記物件の過去状況の履歴を記録する物件履歴情報記録手段を具備することを特徴とする請求項１記載の物件情報登録システム
【請求項５】
前記物件履歴情報記録手段により記録された物件履歴情報を登録する物件履歴情報登録手段を具備することを特徴とする請求項４記載の物件情報登録システム
【請求項６】
前記物件に関連した別の関連物件の情報である関連物件情報を記録する関連物件情報記録手段を具備することを特徴とする請求項１記載の物件情報登録システム
【請求項７】
前記関連物件情報記録手段により記録された関連物件情報を登録する関連物件情報登録手段を具備することを特徴とする請求項６記載の物件情報登録システム
【請求項８】
前記関連物件の関連物件情報が請求項１記載の物件情報登録システムにより登録されることを特徴とする請求項７記載の物件情報登録システム
【請求項９】
前記物件と関連物件との関連性を評価する関連物件関連性評価手段と該関連物件関連性評価手段により形成された関連物件関連性評価情報を記録する関連物件関連性評価情報記録手段と該関連物件関連性評価情報を登録する関連物件関連性評価情報登録手段とを具備することを特徴とする請求項７記載の物件情報登録システム
【請求項１０】
物件情報の登録を認定する物件情報登録認定手段を具備することを特徴とする請求項１記載の物件情報登録システム
【請求項１１】
前記物件の指定が、予め定めた規定物件により指定された物件であることや、前記時間の指定が、予め定めた規定時間により指定された時間であることを確定する確定手段を具備することを特徴とする請求項１記載の物件情報登録システム
【請求項１２】
前記物件の指定が、予め定めたアルゴリズムにより決定する等規定物件設定規則に従って決定する規定物件により指定された物件であることや、前記時間の指定が予め定めたアルゴリズムにより決定する等規定時間設定規則に従って決定する規定時間により指定された時間であることを確定する確定手段を具備することを特徴とする請求項１記載の物件情報登録システム
【請求項１３】
前記物件情報記録手段により常時固定位置にある物件の物件情報が記録されること特徴とする請求項１記載の物件情報登録システム
【請求項１４】
前記物件情報記録手段により物件が移動する物件情報が記録されることを特徴とする請求項１記載の物件情報登録システム
【請求項１５】
前記物件の移動位置又は停止位置が予め特定又は特定した区域内で不特定であることを特徴とする請求項１記載の物件情報登録システム
【請求項１６】
前記時間が物件の移動位置又は停止位置により定められることを特徴とする請求項１記載の物件情報登録システム
【請求項１７】
前記物件の部分又は全体の情報メディア表現形態や画像、彫像、彫刻等の工芸品又は模型等の形態として表現生成する物件情報表現生成手段を備えることを特徴とする請求項１記載の物件情報登録システム
【請求項１８】
前記物件情報表現生成手段により表現生成された物件情報表現生成体を登録保管する物件情報表現生成体登録保管手段を備えることを特徴とする請求項１記載の物件情報登録システム
【請求項１９】
前記確定位置物件情報を表現生成する確定位置物件情報表現生成手段を備えることを特徴とする請求項１記載の物件情報登録システム
【請求項２０】
前記確定位置物件情報表現生成手段により表現生成された確定位置物件情報表現生成体を登録保管する確定位置物件情報表現生成体登録保管手段を備えることを特徴とする請求項１記載の物件情報登録システム
【請求項２１】
前記物件情報表現生成体や確定位置物件情報表現生成体を物件情報原器として認証登録保管する物件情報原器認証登録保管手段を備えることを特徴とする請求項１記載の物件情報登録システム
【請求項２２】
前記物件情報表現生成体や確定位置物件情報表現生成体として腕時計、懐中時計、置時計、天球儀、宝石、勲章、宝石加工品、指輪、腕輪、ペンダント等の宝飾品、陶磁器、絵画、彫刻等の高級美術工芸品や貴金属、紙幣、貨幣、貴金属貨幣、有価証券、債券等の経済信用保証体の形態として表現生成されることを特徴とする請求項１記載の物件情報登録システム
【請求項２３】
前記物件情報表現生成体や確定位置物件情報表現生成体の状況を表現する物件情報表現生成体表示手段を備えることを特徴とする請求項１記載の物件情報登録システム
【請求項２４】
前記物件の信用保証状況を評価する信用保証評価手段を備えることを特徴とする請求項１記載の物件情報登録システム
【請求項２５】
前記物件の将来の信用保証状況を予測する信用保証予測手段を備えることを特徴とする請求項１記載の物件情報登録システム
【請求項２６】
前記物件が船舶であることを特徴とする請求項１記載の物件情報登録システム
【請求項２７】
前記物件が船舶の停泊地や停泊関連施設であることを特徴とする請求項１記載の物件情報登録システム
【請求項２８】
前記物件の該物件情報登録システムによる登録状況を表示する物件情報登録表示手段を具備することを特徴とする物件
【請求項２９】
当該物件情報登録システムにより登録された物件
【請求項３０】
前記物件情報表現生成手段により表現生成された物件情報表現生成体
【請求項３１】
前記確定位置物件情報表現生成手段により表現生成された確定位置物件情報表現生成体
【請求項３２】
前記各表現生成手段により表現生成された経済信用保証体
【請求項３３】
前記物件情報表現生成手段や前記確定位置物件情報表現生成手段の逆変換手段により、腕時計、懐中時計、置時計、天球儀、宝石、勲章、宝石加工品、指輪、腕輪、ペンダント等の宝飾品、陶磁器、絵画、彫刻等の高級美術工芸品や貴金属、紙幣、貨幣、貴金属貨幣、有価証券、債券等の経済信用保証体から等価的に逆変換された物件
【発明の詳細な説明】
【技術分野】
【０００１】  この発明は、物件情報登録システムに関する。
【背景技術】
【０００２】  従来の物件情報登録システムは社会の情報基盤が未発達の時期に作られた物件の登記簿情報等を情報システムに移行したものである。
【発明の開示】
【発明が解決しようとする課題】
【０００３】  しかしながら、以上の技術によれば、情報基盤が成熟化し国際化した現状に対応し発展して行くものではなかった。成長著しい都市部物件や技術革新下の施設等において、急激な経済社会の要求に対応出来ない状況となって来た。特に、情報資本主義社会において、金融の投融資をする立場から見て作られた物件情報登録システムはなかった。そこで、この発明は、これを解決し国際情報化経済社会に適応した物件情報登録システムを提供することを課題とする。
【課題を解決するための手段】
【０００４】  以上の課題を解決するために、第１の発明は、指定された物件の物件情報を記録する物件情報記録手段と該物件情報を登録する物件情報登録手段と指定された時間における該物件の位置情報を確定する物件位置情報確定手段と該物件位置情報確定手段により確定された確定位置物件情報を記録する確定位置物件情報記録手段と該確定位置物件情報を登録する確定位置物件情報登録手段とを具備することを特徴とする物件情報登録システムである。
また、第２の発明は、前記物件の将来状況を推定する根拠情報に基づき物件将来状況を推定し物件将来状況推定情報を形成する物件将来状況推定情報形成手段や該根拠情報及び該物件将来状況推定情報を記録する物件将来状況推定情報記録手段を具備することを特徴とする物件情報登録システムである。
また、第３の発明は、前記物件将来状況推定情報形成手段により形成された物件将来状況推定情報を登録する物件将来状況推定情報登録手段を具備することを特徴とする物件情報登録システムである。
また、第４の発明は、前記物件の過去状況の履歴を記録する物件履歴情報記録手段を具備することを特徴とする物件情報登録システムである。
また、第５の発明は、前記物件履歴情報記録手段により記録された物件履歴情報を登録する物件履歴情報登録手段を具備することを特徴とする物件情報登録システムである。
また、第６の発明は、前記物件に関連した別の関連物件の情報である関連物件情報を記録する関連物件情報記録手段を具備することを特徴とする物件情報登録システムである。
また、第７の発明は、前記関連物件情報記録手段物により記録された関連物件情報を登録する関連物件情報登録手段を具備することを特徴とする物件情報登録システムである。
また、第８の発明は、前記関連物件の関連物件情報が第１の発明の物件情報登録システムにより登録されることを特徴とする物件情報登録システムである。
また、第９の発明は、前記物件と関連物件との関連性を評価する関連物件関連性評価手段と該関連物件関連性評価手段により形成された関連物件関連性評価情報を記録する関連物件関連性評価情報記録手段と該関連物件関連性評価情報を登録する関連物件関連性評価情報登録手段とを具備することを特徴とする物件情報登録システムである。
また、第１０の発明は、物件情報の登録を認定する物件情報登録認定手段を具備することを特徴とする物件情報登録システムである。
また、第１１の発明は、前記物件の指定が、予め定めた規定物件により指定された物件であることや、前記時間の指定が、予め定めた規定時間により指定された時間であることを確定する確定手段を具備することを特徴とする物件情報登録システムである。
また、第１２の発明は、前記物件の指定が、予め定めたアルゴリズムにより決定する等規定物件設定規則に従って決定する規定物件により指定された物件であることや、前記時間の指定が予め定めたアルゴリズムにより決定する等規定時間設定規則に従って決定する規定時間により指定された時間であることを確定する確定手段を具備することを特徴とする物件情報登録システムである。
また、第１３の発明は、前記物件情報記録手段により常時固定位置にある物件の物件情報が記録されること特徴とする物件情報登録システムである。
また、第１４の発明は、前記物件情報記録手段により物件が移動する物件情報が記録されることを特徴とする物件情報登録システムである。
また、第１５の発明は、前記物件の移動位置又は停止位置が予め特定又は特定した区域内で不特定であることを特徴とする物件情報登録システムである。
また、第１６の発明は、前記時間が物件の移動位置又は停止位置により定められることを特徴とする物件情報登録システムである。
また、第１７の発明は、前記物件の部分又は全体の情報メディア表現形態や画像、彫像、彫刻等の工芸品又は模型等の形態として表現生成する物件情報表現生成手段を備えることを特徴とする物件情報登録システムである。
また、第１８の発明は、前記物件情報表現生成手段により表現生成された物件情報表現生成体を登録保管する物件情報表現生成体登録保管手段を備えることを特徴とする物件情報登録システムである。
また、第１９の発明は、前記確定位置物件情報を表現生成する確定位置物件情報表現生成手段を備えることを特徴とする物件情報登録システムである。
また、第２０の発明は、前記確定位置物件情報表現生成手段により表現生成された確定位置物件情報表現生成体を登録保管する確定位置物件情報表現生成体登録保管手段を備えることを特徴とする物件情報登録システムである。
また、第２１の発明は、前記物件情報表現生成体や確定位置物件情報表現生成体を物件情報原器として認証登録保管する物件情報原器認証登録保管手段を備えることを特徴とする物件情報登録システムである。
また、第２２の発明は、前記物件情報表現生成体や確定位置物件情報表現生成体として腕時計、懐中時計、置時計、天球儀、宝石、勲章、宝石加工品、指輪、腕輪、ペンダント等の宝飾品、陶磁器、絵画、彫刻等の高級美術工芸品や紙幣、貨幣、貴金属貨幣、有価証券、信用状、債券等の経済信用保証体の形態として表現生成されることを特徴とする物件情報登録システムである。
また、第２３の発明は、前記物件情報表現生成体や確定位置物件情報表現生成体の状況を表現する物件情報表現生成体表示手段を備えることを特徴とする物件情報登録システムである。
また、第２４の発明は、前記物件の信用保証状況を評価する信用保証評価手段を備えることを特徴とする物件情報登録システムである。
また、第２５の発明は、前記物件の将来の信用保証状況を予測する信用保証予測手段を備えることを特徴とする物件情報登録システムである。
また、第２６の発明は、前記物件が船舶であることを特徴とする物件情報登録システムである。
また、第２７の発明は、前記物件が船舶の停泊地や停泊関連施設であることを特徴とする物件情報登録システムである。
また、第２８の発明は、前記物件の該物件情報登録システムによる登録状況を表示する物件情報登録表示手段を具備することを特徴とする物件である。
また、第２９の発明は、当該物件情報登録システムにより登録された物件である。
また、第３０の発明は、前記物件情報表現生成手段により表現生成された物件情報表現生成体である。
また、第３１の発明は、前記確定位置物件情報表現生成手段により表現生成された確定位置物件情報表現生成体である。
また、第３２の発明は、前記各表現生成手段により表現生成された経済信用保証体である。
また、第３３の発明は、前記物件情報表現生成手段や前記確定位置物件情報表現生成手段の逆変換手段により、腕時計、懐中時計、置時計、天球儀、宝石、勲章、宝石加工品、指輪、腕輪、ペンダント等の宝飾品、陶磁器、絵画、彫刻等の高級美術工芸品や貴金属、紙幣、貨幣、貴金属貨幣、有価証券、債券等の経済信用保証体から等価的に逆変換された物件である。
第１の発明から第３３までの各発明を構成する各手段はデーターベースやサーバー等インターネット等の情報通信手段や、数学的、物理化学的、生物的、等の手法や手段を用いて、各目的を達成する。
第３３の発明の逆変換手段は、各表現生成手段の逆アルゴリズム等数学的手段、物理化学的手段、生物学的手段、情報通信的手段等、適切な手段を用いて構成し、その目的を達成する。
第１の発明から第２８までの各発明における物件とは土地、山林、鉱山、油田、鉱物資源埋蔵地、貴金属埋蔵地、建物建造物、ホテル、旅館、美術館、博物館、公民館等の施設、テーマパーク、温泉、動物園、植物園、水族館等の公園、施設及び設備、工場、工業設備、産業廃棄物処理場、産業廃棄物設備、農業施設、漁区、船舶航空機等の移動体、寄港地、港湾施設等、産業、経済、金融等、社会構造の要素となるものである。
【発明の効果】
【０００５】  前記第１から第２８までの各発明によれば、物件情報が社会の発達した情報基盤に適応し、物件所有価値を高め物件所有企業の企業価値を高めるものとなり、物件の流通を促進する等、急激な経済社会の要求に対応出来る。
【発明を実施するための最良の形態】
【０００６】  第１の発明の実施形態を、図１に示す。
物件情報記録手段１は指定された物件の物件情報を記録する情報通信記録手段でコンピュータメモリー等の記録媒体やデーターベースやサーバー等のインターネット上の情報通信記録手段である。物件情報登録手段Ａは該物件情報を登録する情報通信記録登録手段で規定された登録規則に従って登録する登録手段である。物件位置情報確定手段２は指定された時間における該物件の高精度位置等の位置情報を確定する位置情報確定手段でＧＰＳやリモートセンシング等衛星等を用いた地図情報システム等が適用され確定位置物件情報を確定する。確定位置物件情報記録手段３は前記確定位置物件情報を記録する情報通信記録手段であり確定位置物件情報登録手段４は前記確定位置物件情報を規定された登録規則に従って登録する登録手段である。各構成要素により構成された物件情報登録システム５は物件６の物件情報を登録する
第２、第３、第４、第５の発明の実施形態を、図２に示す。
物件将来状況推定情報形成手段７は物件の将来状況を推定する根拠情報に基づき物件将来状況を推定し物件将来状況推定情報を形成する。推定プログラムや推定データーベース、インターネット等情報通信手段を用い推定し形成する。物件将来状況推定情報記録手段８は該根拠情報及び該物件将来状況推定情報を記録する情報通信記録手段である。物件将来状況推定情報登録手段９は形成された物件将来状況推定情報を登録する。物件履歴情報記録手段１０は物件の過去状況の履歴を記録する。物件履歴情報登録手段１１は物件履歴情報を登録する。
第６、第７、第８、第９、第１０の発明の実施形態を、図３に示す。
関連物件情報記録手段１２は物件６に関連した別の関連物件１３の情報である関連物件情報を記録する。関連物件情報登録手段１４は関連物件情報を登録する。前記関連物件の物件情報が物件情報登録システム５により登録される。関連物件関連性評価手段１５は物件と関連物件との関連性を評価し関連物件関連性評価情報を形成する。関連物件関連性評価情報記録手段１６は関連物件関連性評価情報を記録し関連物件関連性評価情報登録手段１７は関連物件関連性評価情報を登録する。物件情報登録認定手段１８は物件情報登録を認定する。
第１７、第１８、第１９、第２０、第２１の発明の実施形態を、図４に示す。物件情報表現生成手段１９は物件の部分又は全体の情報メディア表現形態や画像、彫像、彫刻等の工芸品又は模型等の形態として表現生成する。
物件情報表現生成体登録保管手段２０は表現生成された物件情報表現生成体を登録保管する。確定位置物件情報表現生成手段２１は確定位置物件情報を表現生成する。確定位置物件情報表現生成体登録保管手段２２は表現生成された確定位置物件情報表現生成体を登録保管する。物件情報原器認証登録保管手段２３は物件情報表現生成体や確定位置物件情報表現生成体を物件情報原器として認証登録保管する。
第２３、第２４、第２５の発明の実施形態を、図５に示す。
物件情報表現生成体表示手段２４は物件情報表現生成体や確定位置物件情報表現生成体の状況を表現する。信用保証評価手段２５は物件の信用保証状況を評価する。信用保証予測手段２６は物件の将来の信用保証状況を予測する。【０００７】「実施形態の効果」
図１の実施形態によれば、コンピュータメモリー等の記録媒体やデーターベースやサーバー等のインターネット上の情報通信記録手段である物件情報記録手段１により指定された物件の物件情報が記録され物件位置情報確定手段２により指定された時間における該物件の高精度位置等の位置情報が確定される。ＧＰＳやリモートセンシング等衛星等を用いた地図情報システム等が適用され確定位置物件情報を確定し確定位置物件情報記録手段３により前記確定位置物件情報が記録され確定位置物件情報登録手段４により確定位置物件情報が規定された登録規則に従って登録される。各構成要素により構成された物件情報登録システム５は物件６の物件情報を登録する。物件位置情報確定手段２により位置情報を確定させることにより物件情報が時間空間上に機能的に拡張されることになり信用価値の明確化を図ることが出来る。又従来の受動的な物件情報が能動的な物件情報となり物件の流通に大きく寄与し大きな経済効果を持つ。【０００８】「他の実施形態」
図２の実施形態では、物件将来状況推定情報形成手段７は物件の将来状況を推定する根拠情報に基づき物件将来状況を推定し物件将来状況推定情報を形成する。推定プログラムや推定データーベース、インターネット等情報通信手段を用い推定し形成する。物件将来状況推定情報記録手段８は該根拠情報及び該物件将来状況推定情報を記録する情報通信記録手段である。物件将来状況推定情報登録手段９は形成された物件将来状況推定情報を登録する。物件履歴情報記録手段１０は物件の過去状況の履歴を記録する。物件履歴情報登録手段１１は物件履歴情報を登録する。各手段を用いて過去の履歴や将来の推定を情報化し推定情報や履歴情報を得て過去、現在、未来と物件情報を時系列化することにより信用価値の明確化を図ることが出来、従来の受動的な物件情報が能動的な物件情報となり物件の流通に大きく寄与し大きな経済効果を持つ。
図３の実施形態では、関連物件情報記録手段１２は物件６に関連した別の関連物件１３の情報である関連物件情報を記録する。関連物件情報登録手段１４は関連物件情報を登録する。前記関連物件の物件情報が物件情報登録システム５により登録される。関連物件関連性評価手段１５は物件と関連物件との関連性を評価し関連物件関連性評価情報を形成する。
関連物件関連性評価情報記録手段１６は関連物件関連性評価情報を記録し関連物件関連性評価情報登録手段１７は関連物件関連性評価情報を登録する。物件情報登録認定手段１８は物件情報登録を認定する。各手段を用いて物件の関連物件を情報化し記録登録し更に関連性を評価し記録登録することにより物件情報を空間拡張し信用価値の明確化を図ることが出来、従来の受動的な物件情報が能動的な物件情報となり物件の流通に大きく寄与し大きな経済効果を持つ。
図４の実施形態では、物件情報表現生成手段１９は物件の部分又は全体の情報メディア表現形態や画像、彫像、彫刻等の工芸品又は模型等の形態として表現生成する。物件情報表現生成体登録保管手段２０は表現生成された物件情報表現生成体を登録保管する。確定位置物件情報表現生成手段２１は確定位置物件情報を表現生成する。確定位置物件情報表現生成体登録保管手段２２は表現生成された確定位置物件情報表現生成体を登録保管する。物件情報原器認証登録保管手段２３は物件情報表現生成体や確定位置物件情報表現生成体を物件情報原器として認証登録保管する。各手段を用いて物件情報を表現生成し確定位置物件情報を表現生成し登録保管し物件情報原器として認証し登録保管する。物件情報原器として認証登録保管し、これにより信用基盤を確立し信用価値の明確化を図ることが出来、従来の受動的な物件情報が能動的な物件情報となり物件の流通に大きく寄与し大きな経済効果を持つ。特に、発展途上国等の発展に特別の経済効果を持つ。
図５の実施形態では、物件情報表現生成体表示手段２４は物件情報表現生成体や確定位置物件情報表現生成体の状況を表現する。信用保証評価手段２５は物件の信用保証状況を評価する。信用保証予測手段２６は物件の将来の信用保証状況を予測する。各手段により表現生成体の状況を表現し信用保証状況を評価し将来の信用保証状況を予測することにより信用基盤を確立し信用価値の明確化を図ることが出来、適切な与信が与えられ従来の受動的な物件情報が能動的な物件情報となり物件の流通に大きく寄与し大きな経済効果を持つ。特に、発展途上国等の発展に特別の経済効果を持つ。
特に、会員権、マンション等複数の所有権者、使用権者、利用権者等、複雑になる権利を明確化し補償、保証等の対応も円滑化し信用価値を高める等大きな経済効果を持つ。船舶等の海上移動体の場合、位置情報により寄港地や航路設定、観光履歴等、客船価値の数量化情報化により、船室利用会員権の経済価値を高める。船齢による資産価値の減少観念を、履歴情報や航海情報等によるメモリアル産業化により資産価値の増加観念へと転換させる。更にスイス銀行等資産保管の伝統に基づき、情報通信技術を駆使し、基本債券と連動させ、保管原器概念により宝飾化することにより所有意識が明確となり、元来客船の持つ豪華性をより顕著化し、確固たるステータスシンボルとなる。テーマパークやリゾートホテル等との連携を情報通信的金融経済的に顕在化させることにより、富裕感を高め、従来の来客数のみに偏ったテーマパークの経営を富裕層に特化した経営とすることが可能となりテーマパークの経営難を解消させる。
【図面の簡単な説明】
【０００９】
【図１】この発明の一実施形態を示すブロック図である。
【図２】この発明の一実施形態を示すブロック図である。
【図３】この発明の一実施形態を示すブロック図である。
【図４】この発明の一実施形態を示すブロック図である。
【図５】この発明の一実施形態を示すブロック図である。
【符号の説明】
【００１０】  １  物件情報記録手段                ２  物件位置情報確定手段
３  確定位置物件情報記録手段        ４  確定位置物件情報登録手段
５  物件情報登録システム            ６  物件
７  物件将来状況推定情報形成手段    ８  物件将来状況推定情報記録手段
９  物件将来状況推定情報登録手段  １０  物件履歴情報記録手段
１１  物件履歴情報登録手段          １２  関連物件情報記録手段
１３  関連物件                      １４  関連物件情報登録手段
１５  関連物件関連性評価手段
１６  関連物件関連性評価情報記録手段
１７  関連物件関連性評価情報登録手段
１８  物件情報登録認定手段
１９  物件情報表現生成手段
２０  物件情報表現生成体登録保管手段
２１  確定位置物件情報表現生成手段
２２  確定位置物件情報表現生成体登録保管手段
２３  物件情報原器認証登録保管手段
２４  物件情報表現生成体表示手段
２５  信用保証評価手段              ２６  信用保証予測手段
Ａ  物件情報登録手段
【図１】
2008130073.tif 000003
【図２】
2008130073.tif 000004
【図３】
2008130073.tif 000005
【図４】
2008130073.tif 000006
【図５】
2008130073.tif 000007